(57)【要約】      （修正有）【課題】スロットルボデーの良好な組付性を保ち、小型・軽量、高回転型のエンジン特性に好適な仕様を実現する電子制御スロットル装置を提供すること。【解決手段】第１スロットルボデー２に画成された吸気通路、及び第２スロットルボデー３に画成された吸気通路のエンジン側にそれぞれスピゴット１７を形成し、ゴムジョイント１８の端部を対応するスピゴット１７に嵌め込んでホースバンド１９で締付け固定する。両スロットルボデー２，３の間にギヤユニット１２を配設し、モータ１３によりギヤユニット１２を介してスロットルシャフト８を回転駆動する。ギヤユニットの両側に位置する吸気通路のスピゴットの軸線を互いに離間する方向に偏芯させてスピゴットの間にギヤユニットの一部を位置させることで、スロットルボデーを延長化せずにゴムジョイントの取付スペースを確保する。【選択図】図３
2015158136.tif 000002
【特許請求の範囲】
【請求項１】
互いに隣接して配設されて、エンジンの各気筒に対応する吸気通路がそれぞれ画成された一対のスロットルボデーと、
上記両スロットルボデーの吸気通路のエンジン側端部にそれぞれ形成されて、該吸気通路の軸線を基準として互いの軸線を離間する方向に偏芯させ、上記エンジンの対応する気筒から延設されたジョイント部材の一端がそれぞれ嵌め込まれるスピゴットと、
上記両スロットルボデーに回動可能に軸支され、上記各吸気通路内にそれぞれ配設されたスロットルバルブを支持するスロットルシャフトと、
上記両スロットルボデーの間に配設されて上記スロットルシャフトに連結され、内蔵したギヤ列を介してモータからの駆動力により上記スロットルシャフトを回転駆動して上記各スロットルバルブを同期して開閉可能であると共に、その一部を上記両スロットルボデーのスピゴットの間に位置させたギヤユニットと
を備えたことを特徴とする電子制御スロットル装置。
【請求項２】
上記ギヤユニットの一部は、上記両スロットルボデーのスピゴットの先端よりもエンジン側に突出している
ことを特徴とする請求項１に記載の電子制御スロットル装置。
【請求項３】
上記両スロットルボデーにはそれぞれ複数の吸気通路が形成され、各吸気通路のエンジン側端部にそれぞれ形成されたスピゴットの内、上記ギヤユニットの両側に位置する一対のスピゴットの軸線のみが互いに離間する方向に偏芯している
ことを特徴とする請求項１または２に記載の電子制御スロットル装置。
【請求項４】
上記ギヤユニットは、両側に位置する一対の吸気通路の軸線の中間位置から何れか一方側に向けてオフセットして配設され、
上記一対の吸気通路の軸線に対するそれぞれのスピゴットの軸線の偏芯量は、上記ギヤユニットの一方側に位置するスピゴットの軸線の偏芯量が該ギヤユニットの他方側に位置するスピゴットの軸線の偏芯量よりも大きく設定されている
ことを特徴とする請求項１乃至３の何れかに記載の電子制御スロットル装置。
【発明の詳細な説明】
【技術分野】
【０００１】
本発明は、エンジンの各気筒に対応する複数の吸気通路内にスロットルバルブをそれぞれ配設し、モータによりスロットルシャフトを回転駆動して各スロットルバルブを同期して開閉する二輪車用の電子制御スロットル装置に関する。
【背景技術】
【０００２】
四輪車に比較して二輪車は良好なスロットル応答性が重視されるため、運転者のスロットル操作に応じてエンジンへの吸入空気を調整するスロットル装置として多連スロットル装置が採用される場合がある。このような多連スロットル装置では、エンジンの各気筒に対応してスロットルボデーに吸気通路を画成し、各吸気通路内にスロットルバルブを配設してスロットルシャフトで支持し、スロットル操作に応じてスロットルシャフトを回転駆動して各スロットルバルブを同期して開閉させるように構成されている。
【０００３】
また、二輪車に搭載されるエンジンは高回転型の特性のものが多く、より正確且つ適切なスロットル開度調整が要求されることを受けて、近年ではスロットル装置が電子制御化されている。このような電子制御の多連スロットル装置（以下、単に電子制御スロットル装置という）では、モータによりギヤユニットのギヤ列を介してスロットルシャフトを回転駆動して各スロットルバルブを開閉している。回転駆動時のスロットルシャフトの捩れは各スロットルバブルの位相ずれ、ひいては吸入空気量の格差につながる。そこで、モータからの駆動力をスロットルシャフトの長手方向の中程に入力させることで、スロットルシャフトの捩れ抑制を図っている。
【０００４】
図５はこのような従来技術の電子制御スロットル装置を示す平断面図、図６は同じくギヤユニット周辺の部分拡大平断面図である。この例の電子制御スロットル装置３１は４気筒エンジン用の４連スロットル装置であり、スロットルボデーは第１スロットルボデー２と第２スロットルボデー３とに分割され、図示しないボルトにより互いに結合されている。
第１スロットルボデー２にはエンジンの＃１気筒及び＃２気筒に対応して一対の吸気通路５#1,５#2がそれぞれ画成され、第２スロットルボデー３にはエンジンの＃３気筒及び＃４気筒に対応して一対の吸気通路５#3,５#4がそれぞれ画成されている。各吸気通路５#1〜５#4の反エンジン側には図示しないエアクリーナが接続され、また各吸気通路５#1〜５#4内には燃料噴射弁６が先端を臨ませている。
【０００５】
第１及び第２スロットルボデー２，３には各吸気通路５#1〜５#4を貫通するように１本のスロットルシャフト８が回動可能に軸支され、各吸気通路５#1〜５#4内に配設されたスロットルバルブ１０がスロットルシャフト８に支持されている。第１及び第２スロットルボデー２，３の間にはギヤユニット１２が配設され、ギヤユニット１２には図示しないモータが連結されている。モータからの駆動力はギヤユニット１２に内蔵されたギヤ列１４を介してスロットルシャフト８に伝達され、スロットルシャフト８が回転駆動されて各スロットルバルブ１０が同期して開閉される。
【０００６】
各吸気通路５#1〜５#4のエンジン側の端部には円筒状をなすスピゴット１７が形成されており、エンジンの各吸気ポートから延設されたゴムジョイント１８の端部がそれぞれスピゴット１７に嵌め込まれてホースバンド１９等で締付け固定されている。エアクリーナから各吸気通路５#1〜５#4内に導入された吸入空気は、スロットル開度に応じて流量調整されながら燃料噴射弁６から噴射された燃料と混合し、ゴムジョイント１８内を経てエンジンの吸気ポートから筒内に導入されて燃焼に供される。
【０００７】
各スピゴット１７の周辺には、ゴムジョイント１８の端部を嵌め込むためのスペース（以下、ゴムジョイント１８の取付スペースという）が必要である。しかし、ギヤ列１４を内蔵したギヤユニット１２はスロットルシャフト８を中心とした半径方向にかなりの領域を占有するため、その一部がスピゴット１７に干渉してゴムジョイント１８の取付スペースの確保を妨げてしまう。
そこで、従来技術の電子制御スロットル装置３１では、図６に示すように、吸気流通方向に沿ったスロットルボデー２，３の全長Ｌ2 を延長してスピゴット１７の位置をエンジン側に変位（ギヤユニット１２から寸法ｌ3だけ離間）させることにより、ギヤユニット１２の一部との干渉を防止してゴムジョイント１８の取付スペースを確保している。
【０００８】
一方、このようなスロットルボデーを分割したスロットル装置として、例えば特許文献１の技術が提案されている。特許文献１のスロットル装置は従来からのワイヤー駆動を採用したものであり、両スロットルボデーの間に連結同調機構を設けている。運転者によるスロットル操作はワイヤーを介して一方のスロットルボデーのスロットルシャフトに伝達され、そのスロットルシャフトの回転が連結同調機構を介して他方のスロットルボデーのスロットルシャフトに伝達されると共に、スロットルシャフト間の位相の微調整が連結同調機構により可能となっている。そして、このスロットル装置では、連結同調機構の設計自由度を向上させるために、連結同調機構の両側に位置する一対の吸気通路のスピゴットを、それぞれ下方に向けてａ偏芯させると共に、互いの離間方向にｂ偏芯させている。
【先行技術文献】
【特許文献】
【０００９】
【特許文献１】特許第４７５１３６６号明細書
【発明の概要】
【発明が解決しようとする課題】
【００１０】
上記したように図５，６の従来技術では、ゴムジョイント１８の取付スペースを確保するために、スロットルボデー２，３の全長Ｌ2 を吸気流通方向に延長している。ところが、スロットルボデー２，３の延長化は、電子制御スロットル装置３１の大型化や重量増加の要因になるばかりでなく、二輪車に適したエンジン特性を実現する妨げになってしまう。
即ち、エンジン特性に影響する種々のファクターの一つとして、スロットル装置の吸気通路の長さ（内容積）が知られており、二輪車で望まれる高回転型のエンジン特性のためには吸気通路の短縮化が必要不可欠である。ところが、ゴムジョイント１８の取付スペースの確保のためにスロットルボデー２，３の全長Ｌ2を延長すると吸気通路５#1〜５#4も延長化されるため、高回転型のエンジン特性に対して電子制御スロットル装置３１が不適切な仕様になってしまう。
【００１１】
高回転型のエンジン特性に対応するためにスロットルボデー２，３の全長Ｌ2を短縮するには、ギヤユニット１２を小型化する必要があるが、以下の理由によりギヤユニット１２の小型化は非常に困難である。
例えば特許文献１の連結同調機構は、一方のスロットルシャフトの回転軸線から偏芯した位置に調整ボルトを設けると共に、この調整ボルトの先端に対応するように、他方のスロットルシャフトの回転軸線から偏芯した位置に同調プレートを設けている。一方のスロットルシャフトが回転すると、調整ボルトの先端が同調プレートを押圧しながら他方のスロットルシャフトに回転を伝達し、これにより両スロットルシャフトの同期回転が行われる。このような回転伝達のためには、スロットルシャフトの回転軸線に対して調整ボルト及び同調プレートを偏芯させる必要があり、偏芯量が大きくなるほど連結同調機構は大型化する。しかしながら、ある程度の偏芯量があれば何ら問題なく回転伝達できるため、連結同調機構を小型化することは容易である。
【００１２】
これに対して図５，６の従来技術では、吸気通路５#1〜５#4内を流通する空気に逆らってスロットルバルブ１０を開閉するために、その駆動源であるモータに大きなトルクが要求される。トルク増加に伴ってモータは大型化し、ひいては電子制御スロットル装置全体が大型化してしまう。モータの大型化を回避するために、ギヤユニット１２の減速比を増加させてモータトルクを補うことは可能であるが、減速比の増加に伴ってギヤユニット１２が大型化してしまう。即ち、モータの小型化とギヤユニットの小型化とがトレードオフの関係にあり、何れか一方のみを優先できないことがギヤユニット１２の小型化を妨げる要因となっている。
以上のように従来技術のギヤユニット１２は容易に小型化できない点で、特許文献１に記載された連結同調機構と大きく相違し、必然的に特許文献１に記載されている単にスピゴットを偏芯させるだけの対策では問題を解決できない。結果として図５，６の従来技術では、大型のギヤユニット１２を両スロットルボデー２，３の間に配設せざるを得ず、ゴムジョイント１８の取付スペースの確保に伴うスロットルボデー２，３の全長Ｌ2 の延長化により、高回転型のエンジン特性に好適な仕様を実現できないという問題があった。
【００１３】
本発明はこのような問題点を解決するためになされたもので、その目的とするところは、スロットルボデーの間にギヤユニットを配設したレイアウトとした上で、スロットルボデーを吸気流通方向に延長化することなくスピゴットの周辺にゴムジョイントの取付スペースを確保でき、もって良好な組付性を保ちながら、小型・軽量で且つ高回転型のエンジン特性に好適な仕様を実現することができる電子制御スロットル装置を提供することにある。
【課題を解決するための手段】
【００１４】
上記の目的を達成するため、本発明の電子制御スロットル装置は、互いに隣接して配設されて、エンジンの各気筒に対応する吸気通路がそれぞれ画成された一対のスロットルボデーと、両スロットルボデーの吸気通路のエンジン側端部にそれぞれ形成されて、吸気通路の軸線を基準として互いの軸線を離間する方向に偏芯させ、エンジンの対応する気筒から延設されたジョイント部材の一端がそれぞれ嵌め込まれるスピゴットと、両スロットルボデーに回動可能に軸支され、各吸気通路内にそれぞれ配設されたスロットルバルブを支持するスロットルシャフトと、両スロットルボデーの間に配設されてスロットルシャフトに連結され、内蔵したギヤ列を介してモータからの駆動力によりスロットルシャフトを回転駆動して各スロットルバルブを同期して開閉可能であると共に、その一部を両スロットルボデーのスピゴットの間に位置させたギヤユニットとを備えたことを特徴とする。
【００１５】
このように構成した電子制御スロットル装置によれば、スロットルボデーの間にギヤユニットを配設したレイアウトとした上で、両スロットルボデーの吸気流通方向の全長が短縮化されると共に、両スピゴットの周辺にジョイント部材の取付スペースを確保可能となる。
【００１６】
その他の態様として、ギヤユニットの一部が、両スロットルボデーのスピゴットの先端よりもエンジン側に突出していることが好ましい。
このように構成した電子制御スロットル装置によれば、両スロットルボデーの間により大型のギヤユニットを配設可能になると共に、スロットルボデーの全長を一層短縮可能となる。
【００１７】
その他の態様として、両スロットルボデーにそれぞれ複数の吸気通路が形成され、各吸気通路のエンジン側端部にそれぞれ形成されたスピゴットの内、ギヤユニットの両側に位置する一対のスピゴットの軸線のみが互いに離間する方向に偏芯していることが好ましい。
このように構成した電子制御スロットル装置によれば、ギヤユニットの両側に位置する一対のスピゴットの軸線のみが離間方向に偏芯し、他のスピゴットの軸線は偏芯していないため、各気筒のスピゴットの占有スペースが増加する事態を防止して、さらなる小型化が可能となる。
【００１８】
その他の態様として、ギヤユニットが、両側に位置する一対の吸気通路の軸線の中間位置から何れか一方側に向けてオフセットして配設され、ギヤユニットの一方側に位置するスピゴットの軸線の偏芯量がギヤユニットの他方側に位置するスピゴットの軸線の偏芯量よりも大きく設定されていることが好ましい。
このように構成した電子制御スロットル装置によれば、ギヤユニットのオフセット状態に応じて両側に位置するスピゴットの軸線の偏芯量を不均等にしているため、各スピゴットの周辺にジョイント部材の取付スペースをより確実に確保可能となる。
【発明の効果】
【００１９】
本発明によれば、スロットルボデーの間にギヤユニットを配設したレイアウトとした上で、スロットルボデーを吸気流通方向に延長化することなくスピゴットの周辺にジョイント部材の取付スペースを確保でき、もって良好な組付性を保ちながら、小型・軽量で且つ高回転型のエンジン特性に好適な仕様を実現することができる。
【図面の簡単な説明】
【００２０】
【図１】実施形態の電子制御スロットル装置を示す平断面図である。
【図２】電子制御スロットル装置をエンジン側より見た図１のＡ矢視図である。
【図３】同じくギヤユニット周辺の部分拡大平断面図である。
【図４】図３のIV-IV線断面図である。
【図５】従来技術の電子制御スロットル装置を示す平断面図である。
【図６】同じく従来技術のギヤユニット周辺の部分拡大平断面図である。
【発明を実施するための形態】
【００２１】
以下、本発明を具体化した電子制御スロットル装置の一実施形態を説明する。
図１は本実施形態の電子制御スロットル装置を示す平断面図、図２は電子制御スロットル装置をエンジン側より見た図１のＡ矢視図、図３は同じくギヤユニット周辺の部分拡大平断面図、図４は図３のIV-IV線断面図である。図１は二輪車に搭載した姿勢の電子スロットル制御装置を上方から見ており、図示はしないが図中の下側にエンジンが位置し、上側にエアクリーナが位置している。以下の説明では、図１の紙面と直交する方向を上下、図１の左右方向を左右（気筒の列設方向）、図１の下側をエンジン側、上側をエアクリーナ側と規定する。
【００２２】
図１，２，４に示すように、本実施形態の電子制御スロットル装置１は４気筒エンジン用の４連スロットル装置として構成されている。電子制御スロットル装置１のスロットルボデーは第１スロットルボデー２と第２スロットルボデー３とからなり、これらのスロットルボデー２，３はそれぞれアルミダイキャストにより製作されて複数のボルト４（図２にその内の１本を示す）により互いに結合されている。
第１スロットルボデー２にはエンジンの＃１気筒及び＃２気筒に対応して断面円形状をなす一対の吸気通路５#1,５#2がそれぞれ画成され、第２スロットルボデー３にはエンジンの＃３気筒及び＃４気筒に対応して断面円形状をなす一対の吸気通路５#3,５#4がそれぞれ画成されている。各吸気通路５#1〜５#4は、エンジンの各気筒に対応して所定のピッチで左右方向に並設されている。
【００２３】
各吸気通路５#1〜５#4の反エンジン側には共通のエアクリーナが接続され、エンジンの運転中にはエアクリーナにより濾過された空気が各吸気通路５#1〜５#4内に導入されるようになっている。図４に示すように、第１及び第２スロットルボデー２，３の各吸気通路５#1〜５#4の下側位置には、先端を吸気通路５#1〜５#4内に臨ませるように燃料噴射弁６が取り付けられ、エンジンの運転中には、図示しないＥＣＵ（エンジン制御装置）からの駆動信号に応じて燃料噴射弁６から吸気通路５#1〜５#4内に燃料が噴射されるようになっている。なお、エンジンが筒内噴射型として構成されている場合には、各気筒に対応する燃料噴射弁６は省略される。
【００２４】
第１及び第２スロットルボデー２，３には１本のスロットルシャフト８がベアリング９により回動可能に軸支され、このスロットルシャフト８は各吸気通路５#1〜５#4を貫通するように左右方向に延設されている。各吸気通路５#1〜５#4内にはスロットルバルブ１０が配設され、これらのスロットルバルブ１０はスロットルシャフト８に対してそれぞれ一対のビス１１により固定されている。
【００２５】
図１〜３に示すように、第１及び第２スロットルボデー２，３の間にはギヤユニット１２が配設され、第１スロットルボデー２にはモータ１３（図２に破線で示す）が内蔵されている。図示はしないが、モータ１３の出力軸はギヤユニット１２に内蔵された複数のギヤから構成されるギヤ列１４（図２，３に破線で示す）の一端に連結され、ギヤ列１４の他端はギヤユニット１２内でスロットルシャフト８に連結されている。モータ１３からの駆動力はギヤユニット１２のギヤ列１４を介してスロットルシャフト８に伝達され、スロットルシャフト８が回転駆動されて各スロットルバルブ１０が同期して開閉される。
【００２６】
スロットルシャフト８の右端は第１スロットルボデー２から突出してスロットル開度センサ１５が取り付けられ、このスロットル開度センサ１５により実スロットル開度が検出される。エンジンの運転中にはＥＣＵによりモータ１３が駆動制御され、ＥＣＵは運転者によるスロットル操作量から目標スロットル開度を決定し、実スロットル開度との比較に基づきモータ１３を駆動制御してスロットル開度を調整する。
【００２７】
図２，３に示すように、第１及び第２スロットルボデー２，３の各吸気通路５#1〜５#4のエンジン側の端部には、円筒状をなすスピゴット１７が一体形成されている。各スピゴット１７には短い円筒状をなすゴムジョイント１８（ジョイント部材）の一端がそれぞれ嵌め込まれ、ホースバンド１９によりスピゴット１７に対して締付け固定されている。また図示はしないが、各ゴムジョイント１８の他端はエンジンの対応する気筒の吸気ポートにそれぞれ嵌め込まれ、同じくホースバンドで締付け固定されている。
【００２８】
これにより、エアクリーナから各吸気通路５#1〜５#4及びゴムジョイント１８を介してエンジンの吸気ポートに至るまでの４本の吸気用の経路が形成されている。従ってエンジンの運転中には、エアクリーナからの吸入空気が電子制御スロットル装置１の各吸気通路５#1〜５#4に導入され、スロットル開度に応じて流量調整されながら燃料噴射弁６から噴射された燃料と混合し、ゴムジョイント１８内を経てエンジンの吸気ポートから各気筒の筒内に導入されて燃焼に供される。
【００２９】
ところで、［発明が解決しようとする課題］で述べたように、各スピゴット１７の周辺にはゴムジョイント１８の取付スペースが必要であるが、スロットルボデー２，３間に配設された大型のギヤユニット１２が取付スペースの確保を妨げてしまう。そこで、図５，６の従来技術では、スロットルボデー２，３の吸気流通方向に沿った全長Ｌ2 を延長してスピゴット１７の位置をエンジン側に変位させる対策を講じているが、高回転型のエンジン特性に対応できないという新たな問題が発生してしまう。
【００３０】
このような問題点を鑑みて本発明者は、ギヤユニット１２の左右両側に位置する＃２気筒及び＃３気筒のスピゴット１７の軸線Ｃ2を互いに離間する方向に偏芯させ、且つそれらのスピゴット１７の間にギヤユニット１２の一部を位置させれば、スロットルボデー２，３の全長を延長することなく、ゴムジョイント１８の取付スペースを確保できることを見出した。この知見の下に本実施形態では、＃２気筒及び＃３気筒の吸気通路５#2,５#3の軸線Ｃ1を基準としてそれぞれのスピゴット１７の軸線Ｃ2を偏芯させており、以下、その詳細を説明する。
【００３１】
まず、スピゴット１７の軸線Ｃ2の偏芯に関する説明に先立って、両スロットルボデー２，３間に配設されたギヤユニット１２の詳細について述べる。
図２，３に示すように、第１スロットルボデー２の左側面と第２スロットルボデー３の右側面とは互いに離間し、その間に形成された空間内にギヤユニット１２が配設されている。第１スロットルボデー２の左側面には右側ケーシング２１が一体形成されており、右側ケーシング２１はスロットルシャフト８を中心として左方に開口する形状をなしている。右側ケーシング２１の左方には合成樹脂製の左側ケーシング２２が配設され、この左側ケーシング２２はスロットルシャフト８を中心として右方に開口する形状をなしている。
左側及び右側ケーシング２１，２２は互いに外周縁を当接させた状態で図示しないビスで結合され、これによりギヤユニット１２のケーシングが形作られている。そして、上記したようにケーシング２１，２２内にギヤ列１４が配設されて、モータ１３からスロットルシャフト８への動力伝達が行われる。
【００３２】
図３から明らかなように、ギヤ列１４を内蔵したギヤユニット１２はスロットルシャフト８を中心とした半径方向にかなりの領域を占有しており、一方で本実施形態のスロットルボデー２，３は高回転型のエンジン特性に対応するように全長Ｌ1（＜Ｌ2 ）が短く設定されている。
結果として、吸気流通方向においてギヤユニット１２の一部はスピゴット１７の基端（＝ゴムジョイント１８のエアクリーナ側の端部）よりも寸法ｌ1 だけエンジン側に突出するだけでなく、さらにスピゴット１７の先端よりも寸法ｌ2 だけエンジン側に突出している。この位置関係では、ギヤユニット１２の一部（エンジン側の箇所）が左右両側に位置する＃２気筒及び＃３気筒のスピゴット１７に干渉してしまうが、以下に述べるスピゴット１７の偏芯によって干渉が防止されている。
【００３３】
まず、＃１気筒及び＃４気筒に対応するスピゴット１７については、通常通り吸気通路５#1,５#4の軸線Ｃ1を中心として形成されている。これに対して＃２気筒及び＃３気筒に対応するスピゴット１７の軸線Ｃ2は、それぞれの吸気通路５#2,５#3の軸線Ｃ1を基準として互いに離間する方向に偏芯している。詳しくは吸気通路５#2の軸線Ｃ1を基準として＃２気筒のスピゴット１７の軸線Ｃ2 が右方に偏芯量Ｏffだけ偏芯し、吸気通路５#3の軸線Ｃ1を基準として＃３気筒のスピゴット１７の軸線Ｃ2 が左方に偏芯量Ｏffだけ偏芯している。結果として、ギヤユニット１２の一部が＃２気筒及び＃３気筒のスピゴット１７の間に位置することになる。
【００３４】
偏芯量Ｏffは、ギヤユニット１２の左右方向の位置を考慮した上で、＃２気筒及び＃３気筒のスピゴット１７の周辺にゴムジョイント１８の取付スペースをそれぞれ確保できるように設定されている。図３に示すように本実施形態では、＃２気筒の吸気通路５#2の軸線Ｃ1と＃３気筒の吸気通路５#3の軸線Ｃ1との中間位置にギヤユニット１２が配設されている。このため、取付スペースの確保のために必要な偏芯量Ｏffは＃２気筒のスピゴット１７と＃３気筒のスピゴット１７とで等しくなり、共に同一の偏芯量Ｏffが設定されている。
【００３５】
以上のように本実施形態の電子制御スロットル装置１によれば、ギヤユニット１２の左右両側に位置する＃２気筒及び＃３気筒のスピゴット１７の軸線Ｃ2を、吸気通路５#2,５#3の軸線Ｃ1を基準として互いに離間する方向に偏芯させ、且つそれらのスピゴット１７の間にギヤユニット１２の一部を位置させている。このため、スロットルボデー２，３の吸気流通方向の全長Ｌ1を短縮化できると共に、＃２気筒及び＃３気筒のスピゴット１７の周辺にゴムジョイント１８の取付スペースを確保できる。
結果としてスロットルボデー２，３の間にギヤユニット１２を配設したレイアウトとした上で、良好な組付性を保ちながら、小型・軽量で且つ高回転型のエンジン特性に好適な電子制御スロットル装置１の仕様を実現することができる。
【００３６】
しかも本実施形態では、ギヤユニット１２の一部をスピゴット１７の基端よりもエンジン側に突出させるだけでなく、さらにスピゴット１７の先端よりもエンジン側に突出させている。よって、両スロットルボデー２，３の間により大型のギヤユニット１２を配設可能になると共に、スロットルボデー２，３の全長Ｌ1を一層短縮化することができる。
【００３７】
さらに本実施形態では、＃１気筒から＃４気筒までの各吸気通路のスピゴットの内、ギヤユニット１２の両側に位置する＃２気筒及び＃３気筒のスピゴット１７の軸線Ｃ2のみを互いに離間する方向に偏芯させている。結果として＃２気筒のスピゴット１７が＃１気筒のスピゴット１７に接近し、＃３気筒のスピゴット１７が＃４気筒のスピゴット１７に接近するが、それぞれのスピゴット１７間にはギヤユニット１２のような障害物が存在しないため、ゴムジョイント１８の取付スペースを何ら問題なく確保できる。
そして、仮に＃２気筒及び＃３気筒のスピゴット１７の軸線Ｃ2の偏芯に対応して＃１気筒及び＃４気筒のスピゴット１７の軸線Ｃ2も離間方向に偏芯させた場合には、左右方向において各気筒のスピゴット１７が占有するスペースが増加してしまうが、＃１気筒及び＃４気筒のスピゴット１７の軸線Ｃ2を偏芯させていないため、このような事態を防止して電子制御スロットル装置１の一層の小型化を達成することができる。
【００３８】
以上で実施形態の説明を終えるが、本発明の態様はこの実施形態に限定されるものではない。例えば上記実施形態では、一対の吸気通路５#1,５#2を有する第１スロットルボデー２及び一対の吸気通路５#3,５#4を有する第２スロットルボデー３を結合して４連式の電子制御スロットル装置１を構成したが、これに限るものではない。
例えば第１及び第２スロットルボデー２，３に単一の吸気通路を画成し、それらのスロットルボデー２，３を結合することにより２連式の電子制御スロットル装置１を構成してもよいし、第１スロットルボデー２に一対の吸気通路を画成し、第２スロットルボデー３に３つの吸気通路を画成し、それらのスロットルボデー２，３を結合することにより５連式の電子制御スロットル装置１を構成してもよい。このような場合でも、両スロットルボデー２，３の間に配設されるギヤユニット１２の両側のスピゴット１７の軸線Ｃ2を離間方向に偏芯させれば、上記実施形態と全く同様の作用効果を得ることができる。
【００３９】
また上記実施形態では、第１スロットルボデー２の左側面に右側ケーシング２１を一体形成し、その右側ケーシング２１に合成樹脂製の左側ケーシング２２を結合してギヤユニット１２のケーシングとしたが、これに限るものではない。例えば第１及び第２スロットルボデー２，３とは全く別個に独立して汎用のギヤユニットを製作し、気筒数等の仕様が相違する複数種類の電子制御スロットル装置の間で共用してもよい。
【００４０】
また上記実施形態では、第１及び第２スロットルボデー２，３に１本のスロットルシャフト８を回動可能に軸支して各気筒のスロットルバルブ１０を開閉したが、これに限るものではない。例えばギヤユニット１２の箇所でスロットルシャフト８を左右に分割し、特許文献１に記載されたような連結同調機構を介して双方のスロットルシャフト８を連動して回転駆動するように構成してもよい。
【００４１】
また上記実施形態では、＃２気筒及び＃３気筒のスピゴット１７の軸線Ｃ2の偏芯量Ｏffを同一に設定したが、これに限るものではなく、異なる偏芯量Ｏffを設定してもよい。例えばギヤユニット１２は、必ずしも＃２気筒の吸気通路５#2の軸線Ｃ1と＃３気筒の吸気通路５#3の軸線Ｃ1との中間位置に配設されるとは限らず、内部のギヤ列１４の構成やモータ１３との位置関係等の種々の要因に応じて、双方の軸線Ｃ1の中間位置から左右方向の何れか一方側に向けて多少オフセットして配設されることもあり得る。
【００４２】
この場合には、他方側（ギヤユニット１２から離間する側）に位置するスピゴット１７に比較して、一方側（ギヤユニット１２に接近する側）に位置するスピゴット１７では、よりゴムジョイント１８の取付スペースを確保し難くなる。そこで、ギヤユニット１２の一方側に位置するスピゴット１７の軸線Ｃ2の偏芯量Ｏffを、ギヤユニット１２の他方側に位置するスピゴット１７の軸線Ｃ2の偏芯量Ｏffよりも大きく設定してもよい。このように、ギヤユニット１２のオフセット状態に応じて両側に位置するスピゴット１７の軸線Ｃ2の偏芯量Ｏffを不均等にすれば、各スピゴット１７の周辺に取付スペースをより確実に確保することができる。
【符号の説明】
【００４３】
１        電子制御スロットル装置
２        第１スロットルボデー
３        第２スロットルボデー
５#1〜５#4  吸気通路
８        スロットルシャフト
１０      スロットルバルブ
１２      ギヤユニット
１３      モータ
１４      ギヤ列
１７      スピゴット
１８      ゴムジョイント（ジョイント部材）
Ｃ1，Ｃ2  軸線
Ｏff      偏芯量
【図１】
2015158136.tif 000003
【図２】
2015158136.tif 000004
【図３】
2015158136.tif 000005
【図４】
2015158136.tif 000006
【図５】
2015158136.tif 000007
【図６】
2015158136.tif 000008